(57)【特許請求の範囲】
【請求項１】
系統線を介して接続される複数の電気所に夫々配置され、前記各電気所に布設された系統線の系統電圧、有効電力、無効電力、発電機の出力電圧、分路リアクトルの状態を示す系統情報を監視する電気所監視装置と、専用ネットワークを介して接続された複数の前記電気所監視装置から取得した系統情報に基づいて、前記電気所に配置された発電機の動作基準となる基準電圧を算出し、前記基準電圧を複数の前記電気所監視装置に送信することにより前記電気所に配置された系統線から前記系統線に供給される電圧を適正な電圧範囲に維持する親監視装置と、を備えた電力制御システムであって、
前記親監視装置は、
前記系統情報、分路リアクトルを全て遮断することを示す遮断状態を管理テーブルに設定する第１設定処理手段と、
前記管理テーブルに設定された前記系統情報、分路リアクトルの遮断状態に基づいて、前記電気所の系統電圧を算出する電圧算出処理手段と、
前記系統電圧が前記基準電圧の運用下限値から運用上限値までの電圧範囲に収まるか否かを判断する第１判断処理手段と、
前記第１判断処理手段による判断の結果、前記系統電圧が前記基準電圧の運用下限値を下回る場合に、当該電気所の発電機の進相無効電力を所定の単位量だけ減少させて発電するように進相無効出力減少量を前記管理テーブルに設定する第２設定処理手段と、
前記管理テーブルに設定された前記系統情報、分路リアクトルの遮断状態、発電機の発電無効出力に基づいて、前記電気所の系統電圧を算出する第２電圧算出処理手段と、
前記系統電圧が前記基準電圧の運用下限値から運用上限値までの電圧範囲に収まるか否かを判断する第２判断処理手段と、
前記第２判断処理手段による判断の結果、全ての前記系統電圧が前記基準電圧の電圧範囲に収まるまで、前記第２設定処理手段、前記第２電圧算出処理手段、前記第２判断処理手段による夫々の処理を繰り返すように制御するシミュレーション制御処理手段と、を備え、
前記シミュレーション制御処理手段は、前記第２判断処理手段による判断の結果、各電気所の系統電圧が前記基準電圧の電圧範囲に収まる場合に、前記管理テーブルから取得した前記分路リアクトルの遮断状態及び電気所の発電機の発電無効出力をシミュレーション結果として決定することを特徴とする電力制御システム。
【請求項２】
系統線を介して接続される複数の電気所に夫々配置され、前記電気所に布設された系統線の系統電圧、有効電力、無効電力、発電機の出力電圧、分路リアクトルの状態を示す系統情報を監視する電気所監視装置と、専用ネットワークを介して接続された複数の前記電気所監視装置から取得した系統情報に基づいて、前記電気所に配置された発電機の動作基準となる基準電圧を算出し、前記基準電圧を複数の前記電気所監視装置に送信することにより前記電気所に配置された系統線から前記系統線に供給される電圧を適正な電圧範囲に維持する親監視装置と、を備えた電力制御システムであって、
前記親監視装置は、
前記系統情報に含まれる系統電圧が前記基準電圧の運用下限値から下回るか否かを判断する第１判断処理手段と、
前記第１判断処理手段による判断の結果、前記系統電圧が前記基準電圧の運用下限値を下回る場合に、当該電気所に投入中の分路リアクトルを１台のみ遮断するように遮断状態を管理テーブルに設定する設定処理手段と、
前記管理テーブルに設定された分路リアクトルの遮断状態、前記系統電圧に基づいて、前記分路リアクトルを遮断した後の系統電圧を算出する電圧算出処理手段と、
前記系統電圧が前記基準電圧の運用下限値から運用上限値までの電圧範囲に収まるか否かを判断する第２判断処理手段と、
前記第２判断処理手段による判断の結果、全ての前記系統電圧が前記基準電圧の電圧範囲に収まるまで、前記設定処理手段、前記電圧算出処理手段、前記第２判断処理手段による夫々の処理を繰り返すように制御するシミュレーション制御処理手段と、を備え、
前記シミュレーション制御処理手段は、前記第２判断処理手段による判断の結果、各電気所の系統電圧が前記基準電圧の電圧範囲に収まる場合に、前記管理テーブルから取得した前記分路リアクトルの遮断状態をシミュレーション結果として決定することを特徴とする電力制御システム。
【請求項３】
系統線を介して接続される複数の電気所に夫々配置され、前記電気所に布設された系統線の系統電圧、有効電力、無効電力、発電機の出力電圧、分路リアクトルの状態を示す系統情報を監視する電気所監視装置と、専用ネットワークを介して接続された複数の前記電気所監視装置から取得した系統情報に基づいて、前記電気所に配置された発電機の動作基準となる基準電圧を算出し、前記基準電圧を複数の前記電気所監視装置に送信することにより前記電気所に配置された系統線から前記系統線に供給される電圧を適正な電圧範囲に維持する親監視装置と、を備えた電力制御システムであって、
前記親監視装置は、
前記系統情報に含まれる系統電圧が前記基準電圧の運用上限値から上回るか否かを判断する第１判断処理手段と、
前記第１判断処理手段による判断の結果、前記系統電圧が前記基準電圧の運用上限値を上回る場合に、当該電気所の運転中の発電機の進相無効出力を所定の単位量だけ増加するように発電抑制量を管理テーブルに設定する設定処理手段と、
前記管理テーブルに設定された発電機の発電抑制量、前記系統電圧に基づいて、前記発電機の発電量を抑制した後の系統電圧を算出する電圧算出処理手段と、
前記系統電圧が前記基準電圧の運用下限値から運用上限値までの電圧範囲に収まるか否かを判断する第２判断処理手段と、
前記第２判断処理手段による判断の結果、全ての前記系統電圧が前記基準電圧の電圧範囲に収まるまで、前記設定処理手段、前記電圧算出処理手段、前記第２判断処理手段による夫々の処理を繰り返すように制御するシミュレーション制御処理手段と、を備え、
前記シミュレーション制御処理手段は、前記第２判断処理手段による判断の結果、各電気所の系統電圧が前記基準電圧の電圧範囲に収まる場合に、前記管理テーブルから取得した発電所の発電無効出力をシミュレーション結果として決定することを特徴とする電力制御システム。
【請求項４】
系統線を介して接続される複数の電気所に夫々配置され、前記各電気所に布設された系統線の系統電圧、有効電力、無効電力、発電機の出力電圧、分路リアクトルの状態を示す系統情報を監視する電気所監視装置と、専用ネットワークを介して接続された複数の前記電気所監視装置から取得した系統情報に基づいて、前記電気所に配置された発電機の動作基準となる基準電圧を算出し、前記基準電圧を複数の前記電気所監視装置に送信することにより前記電気所に配置された系統線から前記系統線に供給される電圧を適正な電圧範囲に維持する親監視装置と、を備えたシステムの電力制御方法であって、
前記親監視装置は、
前記系統情報、分路リアクトルを全て遮断することを示す遮断状態を管理テーブルに設定する第１設定処理ステップと、
前記管理テーブルに設定された前記系統情報、分路リアクトルの遮断状態に基づいて、前記電気所の系統電圧を算出する電圧算出処理ステップと、
前記系統電圧が前記基準電圧の運用下限値から運用上限値までの電圧範囲に収まるか否かを判断する第１判断処理ステップと、
前記第１判断処理ステップによる判断の結果、前記系統電圧が前記基準電圧の運用下限値を下回る場合に、当該電気所の発電機の進相無効出力を所定の単位量だけ減少させて発電するように進相無効減少量を前記管理テーブルに設定する第２設定処理ステップと、
前記管理テーブルに設定された前記系統情報、分路リアクトルの遮断状態、発電機の発電無効出力に基づいて、前記電気所の系統電圧を算出する第２電圧算出処理ステップと、
前記系統電圧が前記基準電圧の運用下限値から運用上限値までの電圧範囲に収まるか否かを判断する第２判断処理ステップと、
前記第２判断処理ステップによる判断の結果、全ての前記系統電圧が前記基準電圧の電圧範囲に収まるまで、前記第２設定処理ステップ、前記第２電圧算出処理ステップ、前記第２判断処理ステップによる夫々の処理を繰り返すように制御するシミュレーション制御処理ステップと、を備え、
前記シミュレーション制御処理ステップは、前記第２判断処理ステップによる判断の結果、各電気所の系統電圧が前記基準電圧の電圧範囲に収まる場合に、前記管理テーブルから取得した前記分路リアクトルの遮断状態及び電気所の発電機の発電無効出力をシミュレーション結果として決定することを特徴とする電力制御方法。
【請求項５】
前記第２判断処理ステップによる判断の結果、少なくとも１つの電気所の系統電圧が前記基準電圧の運用上限値を上回る場合に、当該電気所に分路リアクトルを１台だけ投入するように投入状態を前記管理テーブルに設定する第３設定処理ステップと、
前記管理テーブルに設定された分路リアクトルの投入状態に基づいて、前記電気所の系統電圧を算出する第３電圧算出処理ステップと、
前記系統電圧が前記基準電圧の運用下限値から運用上限値までの電圧範囲に収まるか否かを判断する第３判断処理ステップと、
前記第３判断処理ステップによる判断の結果、全ての前記系統電圧が前記基準電圧の電圧範囲に収まるまで、前記第３設定処理ステップ、前記第３電圧算出処理ステップ、前記第３判断処理ステップによる夫々の処理を繰り返すように制御する第２シミュレーション制御処理ステップと、を備え、
前記第２シミュレーション制御処理ステップは、前記第３判断処理ステップによる判断の結果、各電気所の系統電圧が前記基準電圧の電圧範囲に収まる場合に、前記管理テーブルから取得した前記分路リアクトルの投入状態をシミュレーション結果として決定することを特徴とする請求項４記載の電力制御方法。
【請求項６】
系統線を介して接続される複数の電気所に夫々配置され、前記電気所に布設された系統線の系統電圧、有効電力、無効電力、発電機の出力電圧、分路リアクトルの状態を示す系統情報を監視する電気所監視装置と、専用ネットワークを介して接続された複数の前記電気所監視装置から取得した系統情報に基づいて、前記電気所に配置された発電機の動作基準となる基準電圧を算出し、前記基準電圧を複数の前記電気所監視装置に送信することにより前記電気所に配置された系統線から前記系統線に供給される電圧を適正な電圧範囲に維持する親監視装置と、を備えたシステムの電力制御方法であって、
前記親監視装置は、
前記系統情報に含まれる系統電圧が前記基準電圧の運用下限値から下回るか否かを判断する第１判断処理ステップと、
前記第１判断処理ステップによる判断の結果、前記系統電圧が前記基準電圧の運用下限値を下回る場合に、当該電気所に投入中の分路リアクトルを１台のみ遮断するように遮断状態を管理テーブルに設定する設定処理ステップと、
前記管理テーブルに設定された分路リアクトルの遮断状態、前記系統電圧に基づいて、前記分路リアクトルを遮断した後の系統電圧を算出する電圧算出処理ステップと、
前記系統電圧が前記基準電圧の運用下限値から運用上限値までの電圧範囲に収まるか否かを判断する第２判断処理ステップと、
前記第２判断処理ステップによる判断の結果、全ての前記系統電圧が前記基準電圧の電圧範囲に収まるまで、前記設定処理ステップ、前記電圧算出処理ステップ、前記第２判断処理ステップによる夫々の処理を繰り返すように制御するシミュレーション制御処理ステップと、を備え、
前記シミュレーション制御処理ステップは、前記第２判断処理ステップによる判断の結果、各電気所の系統電圧が前記基準電圧の電圧範囲に収まる場合に、前記管理テーブルから取得した前記分路リアクトルの遮断状態をシミュレーション結果として決定することを特徴とする電力制御方法。
【請求項７】
前記第２判断処理ステップによる判断の結果、少なくとも１つの電気所の系統電圧が前記基準電圧の運用上限値を上回る場合に、当該電気所の運転中の発電機の進相無効出力を所定の単位量だけ増加させて発電するように発電抑制量を前記管理テーブルに設定する第２設定処理ステップと、
前記管理テーブルに設定された発電機の発電無効出力に基づいて、前記電気所の系統電圧を算出する第２電圧算出処理ステップと、
前記系統電圧が前記基準電圧の運用下限値から運用上限値までの電圧範囲に収まるか否かを判断する第３判断処理ステップと、
前記第３判断処理ステップによる判断の結果、全ての前記系統電圧が前記基準電圧の電圧範囲に収まるまで、前記第２設定処理ステップ、前記第２電圧算出処理ステップ、前記第３判断処理ステップによる夫々の処理を繰り返すように制御する第２シミュレーション制御処理ステップと、を備え、
前記第２シミュレーション制御処理ステップは、前記第３判断処理ステップによる判断の結果、各電気所の系統電圧が前記基準電圧の電圧範囲に収まる場合に、前記管理テーブルから取得した前記発電機の発電無効出力をシミュレーション結果として決定することを特徴とする請求項６記載の電力制御方法。
【請求項８】
系統線を介して接続される複数の電気所に夫々配置され、前記電気所に布設された系統線の系統電圧、有効電力、無効電力、発電機の出力電圧、分路リアクトルの状態を示す系統情報を監視する電気所監視装置と、専用ネットワークを介して接続された複数の前記電気所監視装置から取得した系統情報に基づいて、前記電気所に配置された発電機の動作基準となる基準電圧を算出し、前記基準電圧を複数の前記電気所監視装置に送信することにより前記電気所に配置された系統線から前記系統線に供給される電圧を適正な電圧範囲に維持する親監視装置と、を備えたシステムの電力制御方法であって、
前記親監視装置は、
前記系統情報に含まれる系統電圧が前記基準電圧の運用上限値から上回るか否かを判断する第１判断処理ステップと、
前記第１判断処理ステップによる判断の結果、前記系統電圧が前記基準電圧の運用上限値を上回る場合に、当該電気所の運転中の発電機の進相無効出力を所定の単位量だけ増加するように発電無効出力を管理テーブルに設定する設定処理ステップと、
前記管理テーブルに設定された発電機の発電無効出力、前記系統電圧に基づいて、前記発電機の発電進相無効出力を増加した後の系統電圧を算出する電圧算出処理ステップと、
前記系統電圧が前記基準電圧の運用下限値から運用上限値までの電圧範囲に収まるか否かを判断する第２判断処理ステップと、
前記第２判断処理ステップによる判断の結果、全ての前記系統電圧が前記基準電圧の電圧範囲に収まるまで、前記設定処理ステップ、前記電圧算出処理ステップ、前記第２判断処理ステップによる夫々の処理を繰り返すように制御するシミュレーション制御処理ステップと、を備え、
前記シミュレーション制御処理ステップは、前記第２判断処理ステップによる判断の結果、各電気所の系統電圧が前記基準電圧の電圧範囲に収まる場合に、前記管理テーブルから取得した発電所の発電無効出力をシミュレーション結果として決定することを特徴とする電力制御方法。
【請求項９】
前記第２判断処理ステップによる判断の結果、少なくとも１つの電気所の系統電圧が前記基準電圧の運用下限値を下回る場合に、当該電気所に分路リアクトルを１台だけ遮断するように投入状態を前記管理テーブルに設定する第２設定処理ステップと、
前記管理テーブルに設定された電気所の分路リアクトルの投入状態に基づいて、前記電気所の系統電圧を算出する第２電圧算出処理ステップと、
前記系統電圧が前記基準電圧の運用下限値から運用上限値までの電圧範囲に収まるか否かを判断する第３判断処理ステップと、
前記第３判断処理ステップによる判断の結果、全ての前記系統電圧が前記基準電圧の電圧範囲に収まるまで、前記第２設定処理ステップ、前記第２電圧算出処理ステップ、前記第３判断処理ステップによる夫々の処理を繰り返すように制御する第２シミュレーション制御処理ステップと、を備え、
前記第２シミュレーション制御処理ステップは、前記第３判断処理ステップによる判断の結果、各電気所の系統電圧が前記基準電圧の電圧範囲に収まる場合に、前記管理テーブルから取得した前記電気所の分路リアクトルの投入状態をシミュレーション結果として決定することを特徴とする請求項８記載の電力制御方法。
【請求項１０】
前記シミュレーション結果を前記電気所監視装置に送信する送信処理ステップを備えることを特徴とする請求項４乃至９の何れか１項記載の電力制御方法。
【請求項１１】
請求項４乃至１０の何れか１項記載の各ステップをプロセッサに処理させることを特徴とする電力制御プログラム。
【発明の詳細な説明】
【技術分野】
【０００１】
本発明は、系統電圧を適正な状態に維持し、系統の総合的な損失を低減するのに好適な電力制御システム、電力制御方法、及び電力制御プログラムに関する。
【背景技術】
【０００２】
近年、電源の遠隔化により、大地との間の静電容量が大きくなり、発電機による無効電力の調整幅が低下している。また、電力系統に接続されている需要家（負荷）が大容量化すると共にこれに比例して無効電力の必要量も増加している。さらに、需要家（負荷）が電力系統内で集中・分散している。これらの点から系統電圧の維持に支障をきたすようになってきており、また、無効電力による送電ロスも増大してきている。
従来、電力系統の電圧を調整する設備として、電気所には、通常、二次側電圧の調整を可能とする負荷時タップ切替付き変圧器や無効電力の供給・吸収を行うコンデンサやリアクトルなどの無効電力調整装置（調相設備）が設置されている。
一般に、電力系統の電圧・無効電力制御の考え方は、電力系統の運用状況や負荷状況に応じて系統電圧を適正に維持することで、需要家に提供する電圧を適正に維持すると共に、送電線損失低減などによる経済運用も可能なものとなっている。
【０００３】
特許文献１には、ＶＱＣ装置を集中させることによる情報伝送コストと情報処理能力の問題から系統を区分した個別ＶＱＣ装置と個別ＶＱＣ装置間を管理する中央ＶＱＣ装置で構成される。中央ＶＱＣ装置は個別ＶＱＣ装置がカバーする系統間の有効電力潮流情報から送電線損失が少なく各系統に最適な基準電圧と各系統間の無効電力潮流を個別ＶＱＣ装置へ指示、個別ＶＱＣ装置はその指示になるように調相器を制御することについて開示されている。
【０００４】
特許文献２には、個別ＶＱＣ装置のみで構成され、各装置間で各系統の状況を情報交換。隣接系統の状況が変化すると自系統は所定の条件を満たすように個別ＶＱＣ装置は系統内の電圧と無効電力を制御する。その際には送電線損失が小さくなるように調相器を選定することについて開示されている。
なお、上記ＶＱＣ装置は、電圧・無効電力制御（ＶＱＣ）（voltage and reactive power control）を行う装置であり、時々刻々と変化する系統電圧に対し、電圧安定性の維持、機器から見た適正電圧の維持、送電損失の低減等の観点から発電機無効電力、変圧器タップ、調相設備を制御して系統の電圧・無効電力を調整する。制御を行う際には、多地点の電圧・無効電力を個別に適正に維持するとともに、全系での協調を図る必要があることから、ローカル系統を対象とした「個別制御方式」と全系を対象とした「総合制御方式」の併用が一般的である。「総合制御方式」においは情報伝送上の制約、制御効果等から超高圧系統以上を対象として制御を行う場合が多い。
【先行技術文献】
【特許文献】
【０００５】
【特許文献１】特開２００２−１６５３６７公報
【特許文献２】特開２００６−３２５３８０公報
【発明の概要】
【発明が解決しようとする課題】
【０００６】
ところで、超高圧系統においては、一般的に特別高圧架空送電線に比べ送電線距離が長い上に使用電圧が２倍以上のため充電容量が大きくなっている。このため、超高圧系統の無効電力の制御手段としては分路リアクトル投入や発電機進相励磁によるものが使用されている。
一方、送電線損失は送電線インピーダンス（％Ｒ）と送電線の有効電力潮流Ｐ（ＭＷ）と無効電力潮流Ｑ（ＭＶａｒ）とに基づいて算出され、無効電力潮流Ｑを減少させることで送電線損失は低減される。このため、特許文献１、２では、分路リアクトルの投入／遮断を行う台数・電気所を適正に制御することで系統電圧を維持する共に送電線の無効電力潮流Ｑを減少させて送電線損失の低減を図っている。
しかしながら、超高圧系統において％Ｒは非常に小さく送電線の無効電力潮流Ｑの向きは同方向ばかりではないため、分路リアクトルで無効電力潮流Ｑを調整したところで送電線損失はさほど変わらない。
詳しくは、送電線に交流電力を流すと抵抗値があるが、この抵抗値には有効分抵抗（％Ｒ）と無効分抵抗がある。また、交流電力にも有効分電力（Ｐ）と無効分電力（Ｑ）がある。
ここで、送電線損失の大きさは、％Ｒ×（Ｐ×Ｐ＋Ｑ×Ｑ）で求められる。超高圧系統（２２０ｋＶ以上）ではＰ≫Ｑの場合が多い。すなわち、Ｐは数１０万〜百数１０万、Ｑは数万〜１０数万となる。このため、調相器を投入してＱを小さく（送電線損失を小さく）しても送電線損失の大きさはさほど変わりない。また、超高圧系統の送電線の％Ｒは０．００１〜０．０５程度なので調相器１台投入することで送電線損失を軽減できたとしても数１０ｋＷ、それに対して超高圧系統の調相器内部での電力損失は１台あたり数百ｋＷあるので、超高圧系統では調相器を投入することで損失が増えることがある。
このように、電送線に分路リアクトルを投入することで、分路リアクトルの鉄損分（系統損失）は確実に増える。つまり、特許文献１、２に記載された技術のように、調相器に頼った電圧・無効電力制御方法を採用しても系統全体の損失（系統損失）を低減することは難しいといった問題があった。
そこで、系統全体の損失（系統損失）を低減することが切望されている。
本発明は、上記に鑑みてなされたもので、その目的としては、系統全体の損失（系統損失）を低減することが可能な電力制御システム、電力制御方法、及び電力制御プログラムを提供することにある。
【課題を解決するための手段】
【０００７】
上記課題を解決するたに、請求項１記載の発明は、系統線を介して接続される複数の電気所に夫々配置され、前記各電気所に布設された系統線の系統電圧、有効電力、無効電力、発電機の出力電圧、分路リアクトルの状態を示す系統情報を監視する電気所監視装置と、専用ネットワークを介して接続された複数の前記電気所監視装置から取得した系統情報に基づいて、前記電気所に配置された発電機の動作基準となる基準電圧を算出し、前記基準電圧を複数の前記電気所監視装置に送信することにより前記電気所に配置された系統線から前記系統線に供給される電圧を適正な電圧範囲に維持する親監視装置と、を備えた電力制御システムであって、前記親監視装置は、前記系統情報、分路リアクトルを全て遮断することを示す遮断状態を管理テーブルに設定する第１設定処理手段と、前記管理テーブルに設定された前記系統情報、分路リアクトルの遮断状態に基づいて、前記電気所の系統電圧を算出する電圧算出処理手段と、前記系統電圧が前記基準電圧の運用下限値から運用上限値までの電圧範囲に収まるか否かを判断する第１判断処理手段と、前記第１判断処理手段による判断の結果、前記系統電圧が前記基準電圧の運用下限値を下回る場合に、当該電気所の発電機の進相出力を所定の単位量だけ減少させて発電するように進相出力減少量を前記管理テーブルに設定する第２設定処理手段と、前記管理テーブルに設定された前記系統情報、分路リアクトルの遮断状態、発電機の発電無効出力に基づいて、前記電気所の系統電圧を算出する第２電圧算出処理手段と、前記系統電圧が前記基準電圧の運用下限値から運用上限値までの電圧範囲に収まるか否かを判断する第２判断処理手段と、前記第２判断処理手段による判断の結果、全ての前記系統電圧が前記基準電圧の電圧範囲に収まるまで、前記第２設定処理手段、前記第２電圧算出処理手段、前記第２判断処理手段による夫々の処理を繰り返すように制御するシミュレーション制御処理手段と、を備え、前記シミュレーション制御処理手段は、前記第２判断処理手段による判断の結果、各電気所の系統電圧が前記基準電圧の電圧範囲に収まる場合に、前記管理テーブルから取得した前記分路リアクトルの遮断状態及び電気所の発電機の発電無効出力をシミュレーション結果として決定することを特徴とする。
【発明の効果】
【０００８】
本発明によれば、系統電圧が基準電圧の運用下限値を下回る場合に、当該電気所の発電機の進相出力を所定の単位量だけ減少させて発電するように進相出力減少量を設定し、全ての系統電圧が基準電圧の電圧範囲に収まるまで、設定処理、電圧算出処理、判断処理を繰り返すようにシミュレーション制御し、各電気所の系統電圧が基準電圧の電圧範囲に収まる場合に、分路リアクトルの遮断状態及び電気所の発電機の無効出力をシミュレーション結果として決定することで、系統全体の損失を低減することができる。
この結果、従来の技術では不足していた系統の総合的な損失低減を補うことができる。
【図面の簡単な説明】
【０００９】
【図１】本発明の第１実施形態に係る電力制御システムのシステム構成を示すブロック図である。
【図２】図１に示す親監視装置３とシミュレーション装置４の構成を示すブロック図である。
【図３】図１又は図２に示す電気所監視装置２＃１〜ｎ、親監視装置３、及びシミュレーション装置４の間で通信される情報の電送手順を示すシーケンス図である。
【図４】電気所設備情報について説明するための表で示した図ある。
【図５】本発明の第１実施形態に係るシミュレーション装置４の動作を示すフローチャートである。
【図６】（ａ）〜（ｃ）は管理テーブル（Ａ）、管理テーブル（Ｂ）、等価回路を示す図である。
【図７】（ａ）（ｂ）は管理テーブル（Ｃ）、管理テーブル（Ｄ）を示す図である。
【図８】各電気所＃１〜ｎにおける電圧値を示すグラフ図である。
【図９】本発明の第２実施形態に係るシミュレーション装置４の動作を示すフローチャートである。
【図１０】（ａ）（ｂ）は管理テーブル（Ａ）、管理テーブル（Ｂ）を示す図である。
【図１１】（ａ）（ｂ）は管理テーブル（Ｃ）、管理テーブル（Ｄ）を示す図である。
【発明を実施するための形態】
【００１０】
本発明の実施形態について、図面を参照して説明する。
＜第１実施形態＞
図１は、本発明の第１実施形態に係る電力制御システム１のシステム構成を示すブロック図である。
電力会社が管轄する複数のエリアには夫々に発電器Ｇを備えた電気所＃１〜＃ｎが配置されており、電気所と他の隣接する電気所との間には系統線７が布設されており、電気所には電気所監視装置２＃１〜２＃ｎが備えられている。
電気所に備えられた電気所監視装置２＃１〜２＃ｎは、専用ネットワークを介して親監視装置３に接続されており、さらに、親監視装置３はシミュレーション装置４に接続されている。
【００１１】
例えば、電気所＃１に備えられた発電機Ｇは、トランス１１を介して母線９に接続され、更に、母線９がトランス１０を介して系統線６に接続されている。ここで、トランス１０の３次巻線線には調相設備８が接続されている。調相設備８には、分路リアクトル＃１−１〜＃１−ｋが備えられており、これらの分路リアクトルの投入／遮断は調相設備制御部２７により制御される。
ここで、図１に示す電気所監視装置２の構成について説明する。
有効電力Ｐ検出部２１は、隣接する系統線７から流入する有効電力Ｐを検出する。
無有効電力Ｑ検出部２２は、隣接する系統線７から流入する無効電力Ｑを検出する。
発電機出力電圧ＶＧ検出部２３は、発電機Ｇの出力電圧ＶＧを検出する。
系統電圧Ｖ検出部２４は、系統線６の電圧Ｖを検出する。
通信制御部２５は、専用ネットワークＮ（図示しない）を介して親監視装置３と接続し、親監視装置３との間で情報を通信する。
電圧調整部２６は、親監視装置３から受信した基準電圧Ｖｒｆを発電機Ｇに設定し、発電機Ｇに基準電圧Ｖｒｆに従った発電電圧を出力させる。
調相設備制御部２７は、親監視装置３から受信したＯＮ／ＯＦＦ制御信号をメモリ２７ａに記憶し、ＯＮ／ＯＦＦ制御信号に応じて調相設備８に設けられた分路リアクトル＃１−１〜＃１−ｋを個々に独立して投入／遮断を制御する。
制御部２９は、電気所監視装置２に設けられた各部を制御する。制御部２９は、内部にＲＯＭ（read only memory）、ＲＡＭ、ＣＰＵ、ＨＤＤを有している。ＣＰＵ（central processing unit）は、ＨＤＤ（hard disk drive）からオペレーティングシステムＯＳを読み出してＲＡＭ（random access memory）上に展開してＯＳを起動し、ＯＳ管理下において、ＨＤＤからプログラム（処理モジュール）を読み出し、各種処理を実行する。
【００１２】
図２は、図１に示す親監視装置３とシミュレーション装置４の構成を示すブロック図である。
ここで、図２に示す親監視装置３の構造について説明する。
基準電圧算出部３１は、電気所監視装置２＃１〜ｎから受信した有効電力潮流Ｐに応じて、各電気所の動作基準となる基準電圧Ｖｒｆ（運用上限値、運用下限値を含む）の最適値を適宜の目的に応じて算出する。
系統情報ＤＢ部３２は、電気所監視装置２＃１〜ｎから受信した系統情報を電気所＃１〜ｎ毎に区別して記憶する。
通信制御部３３は、専用ネットワークＮを介して電気所監視装置２＃１〜ｎと接続し、電気所監視装置２＃１〜ｎとの間で情報を通信する。
通信制御部３４は、シミュレーション装置４と接続し、シミュレーション装置４との間で情報を通信する。
制御部３５は、親監視装置３に設けられた各部を制御する。制御部３５は、内部にＲＯＭ、ＲＡＭ、ＣＰＵ、ＨＤＤを有している。ＣＰＵは、ＨＤＤからオペレーティングシステムＯＳを読み出してＲＡＭ上に展開してＯＳを起動し、ＯＳ管理下において、ＨＤＤからプログラム（処理モジュール）を読み出し、各種処理を実行する。
【００１３】
次いで、図２に示すシミュレーション装置４の構造について説明する。
シミュレーション制御部４１は、系統情報ＤＢ４４から読み出した系統情報に基づいて、分路リアクトル投入を抑制するようにシミュレーションし、シミュレーション結果をメモリ４１ａに記憶する。
通信制御部４２は、親監視装置３と接続し、親監視装置３との間で情報を通信する。
電気所設備情報ＤＢ４３は、電気所＃１〜ｎに夫々に備えられている発電機の発電電力、分路リアクトルＳｈＲの抑制可能電力と台数等を電気所＃１〜ｎ毎に区別して記憶する（図４参照）。
系統情報ＤＢ部４４は、電気所監視装置２＃１〜ｎの系統情報を電気所＃１〜ｎ毎に区別して記憶する。
制御部４５は、シミュレーション装置４に設けられた各部を制御する。制御部４５は、内部にＲＯＭ、ＲＡＭ、ＣＰＵ、ＨＤＤを有している。ＣＰＵは、ＨＤＤからオペレーティングシステムＯＳを読み出してＲＡＭ上に展開してＯＳを起動し、ＯＳ管理下において、ＨＤＤからプログラム（処理モジュール）を読み出し、各種処理を実行する。
【００１４】
図３は、図１又は図２に示す電気所監視装置２＃１〜ｎ、親監視装置３、及びシミュレーション装置４の間で通信される情報の電送手順を示すシーケンス図である。
まず、電気所には、隣接する電気所の系統線７から有効電力Ｐおよび無効電力Ｑが流入している。まず、電気所監視装置２＃１では、隣接する電気所の系統線７から流入する有効電力Ｐを有効電力Ｐ検出部２１により検出する。同様に、電気所監視装置２＃１は、隣接する電気所の系統線７から流入する無効電力Ｑを無効電力Ｑ検出部２２により検出する。次いで、電気所監視装置２＃１は検出した有効電力Ｐおよび無効電力Ｑを通信制御部２５からネットワークＮを介して親監視装置３に送信する。同様に、電気所監視装置２＃２〜ｎは検出した有効電力Ｐおよび無効電力Ｑを親監視装置３に送信する。
次いで、親監視装置３では、ネットワークＮを介して電気所監視装置２＃１〜ｎから受信した有効電力Ｐおよび無効電力Ｑを系統情報ＤＢ部３２に記憶する。基準電圧算出部３１は、受信した有効電力Ｐに応じて、各電気所の動作基準となる基準電圧Ｖｒｆ（運用上限値、運用下限値を含む）の最適値を適宜の目的に応じて算出する。制御部３５は、算出された基準電圧Ｖｒｆ（運用上限値、運用下限値を含む）を通信制御部３３に出力し、通信制御部３３からネットワークＮを介して電気所監視装置２＃１〜ｎに送信する。
【００１５】
親監視装置３から基準電圧Ｖｒｆを受信した電気所監視装置２＃１では、電圧調整部２６は、受信した基準電圧Ｖｒｆを発電機Ｇに設定し、発電機Ｇに基準電圧Ｖｒｆに従った発電電圧を出力させる。このとき、発電機Ｇの出力は応答時間（例えば、５分から１０分）の後に基準電圧Ｖｒｆとなるように制御される。発電機Ｇの出力電力はトランス１１を介して母線９に出力され、更に、母線９からトランス１０を介して系統線６に出力される。ここで、系統線６には、隣接する電気所＃２の系統線７から有効電力Ｐおよび無効電力Ｑが流入しているため、系統線６での電圧Ｖは有効電力Ｐおよび無効電力Ｑにより影響を受けて変化する。
次いで、親監視装置３では、制御部３５は、算出された基準電圧Ｖｒｆ（運用上限値、運用下限値を含む）を通信制御部３４に出力し、通信制御部３４からシミュレーション装置４に送信する。
シミュレーション装置４は、親監視装置３から通信制御部４２を介して受信した基準電圧Ｖｒｆをシミュレーション制御部４１に出力する。シミュレーション制御部４１では、受信した基準電圧Ｖｒｆ（運用上限値、運用下限値を含む）をメモリ４１ａに記憶する。
【００１６】
次いで、電気所監視装置２＃１において、制御部２４は、有効電力Ｐ検出部２１から有効電力Ｐを入力し、有効電力Ｑ検出部２２から無効電力Ｑを入力し、発電機出力電圧ＶＧ検出部２３から発電機Ｇの出力電圧ＶＧを入力し、さらに、系統電圧Ｖ検出部２４から系統線６の電圧Ｖを入力し、調相設備制御部２７のメモリ２７ａからＯＮ制御信号に対応する分路リアクトルＳｈＲの番号データを読み出し、これらの値を系統情報（電圧Ｖ、有効電力Ｐ、無効電力Ｑ、発電機Ｇの出力電圧ＶＧ、ＳｈＲ番号）＃１とする。さらに、制御部２４は、通信制御部２５から専用ネットワークＮを介して系統情報＃１を親監視装置３に送信する。同様に、電気所監視装置２＃２〜ｎは、系統情報＃２〜ｎを親監視装置３に送信する。
【００１７】
親監視装置３において、電気所監視装置２＃１〜ｎから系統情報＃１〜ｎを受信した通信制御部３３は、受信した旨を制御部３５に通知する。制御部３５は受信した系統情報＃１〜ｎを電気所＃１〜ｎ毎に区別して系統情報ＤＢ３２に記憶する。
次いで、制御部３５は受信した系統情報＃１〜ｎを通信制御部３４を介してシミュレーション装置４に送信する。シミュレーション装置４では、親監視装置３から系統情報＃１〜ｎを受信した通信制御部４２は、受信した旨を制御部４５に通知する。制御部４５は受信した系統情報＃１〜ｎを電気所＃１〜ｎ毎に区別して系統情報ＤＢ４４に記憶する。
次いで、シミュレーション装置４では、系統情報＃１〜ｎ、電気所設備情報に基づいて、分路リアクトルＳｈＲの投入を抑制するためのシミュレーション処理を行う。シミュレーション装置４により算出されたシミュレーション結果＃１〜ｎを通信制御部４２を介して親監視装置３に送信する。
親監視装置３において、シミュレーション装置４からシミュレーション結果＃１〜ｎを受信した通信制御部３４は、シミュレーション結果＃１〜ｎを通信制御部３３に出力する。さらに、通信制御部３３は、専用ネットワークＮを介してシミュレーション結果＃１を電気所監視装置２＃１に送信する。同様に、通信制御部３３は、専用ネットワークＮを介してシミュレーション結果＃２〜ｎを夫々に電気所監視装置２＃２〜ｎに送信する。
【００１８】
電気所監視装置２＃１において、シミュレーション結果＃１を受信した通信制御部２５は、受信した旨を制御部２４に通知する。制御部２４は受信したシミュレーション結果＃１をメモリ２４ａに記憶する。次いで、制御部２４はシミュレーション結果＃１に含まれる分路リアクトルＳｈＲの投入／切断を示す情報を抽出して調相設備制御部２７に設けられたメモリ２７ａに記憶する。
調相設備制御部２７は、メモリ２７ａから読み出した情報に基づいて、調相設備８に設けられた分路リアクトルＳｈＲの投入／切断を制御することで無効電力Ｑを調整する。
同様に、電気所監視装置２＃２〜ｎにおいて、受信したシミュレーション結果＃２〜ｎに基づいて、夫々の調相設備８に設けられた分路リアクトルＳｈＲの投入／切断を制御することで無効電力Ｑを調整する。
【００１９】
次に、図４に示す電気所設備情報について説明する。電気所設備情報はシミュレーション装置４に設けられた電気所設備情報ＤＢ４３に記憶されている。
図４に示すように、電気所＃１には、２００ＭＶＡの発電機が１台、調相設備として、２０ＭＶＡのＳｈＲ（分路リアクトル）が５台、３０ＭＶＡのＳｈＲが２台設置されている。電気所＃２には、３００ＭＶＡの発電機が１台、調相設備として、２０ＭＶＡのＳｈＲが７台、３０ＭＶＡのＳｈＲが３台設置されている。電気所＃ｎには、２５０ＭＶＡの発電機が１台、調相設備として、２０ＭＶＡのＳｈＲが５台、３０ＭＶＡのＳｈＲが２台設置されている。
【００２０】
次に、図５に示すフローチャートを参照して、本発明の第１実施形態に係るシミュレーション装置４の動作について説明する。
シミュレーション装置４では、系統電圧を調整する場合に、分路リアクトルの投入を抑制するために、必ず発電機を進相無効出力の増加方向への調整処理を分路リアクトルの投入処理より優先するようにシミュレーションを行うことを特徴としている。
なお、発電機出力には、「有効出力」と「無効出力」とがあり、本発明は、「無効出力」の調整に注目したことを特徴としている。ここで、「無効出力」には、「進相出力」と「遅相出力」との２種類があり、この２種類の「無効出力」を符号で表現すると、「無効出力」０（ゼロ）を中心に、「進相出力」は「−」（マイナス）、「遅相出力」は「＋」（プラス）となる。
まず、ステップＳ５では、シミュレーション制御部４１は、系統情報（電圧Ｖ、有効電力Ｐ、無効電力Ｑ、発電機Ｇの出力電圧ＶＧ、ＳｈＲ番号）から系統電圧のシミュレーションを実行するための準備として、変数の宣言や初期値の設定などの処理を行う。すなわち、系統情報ＤＢ４４から系統情報（電圧Ｖ、有効電力Ｐ、無効電力Ｑ、発電機Ｇの出力電圧ＶＧ、ＳｈＲ番号）＃１〜ｎを読み出し、メモリ４１ａに記憶する。
ここで、シミュレーション制御部４１は、メモリ４１ａから系統情報＃１を読み出し、投入中（ＯＮ）の分路リアクトルの番号を抽出して管理テーブルに記憶する。この処理を系統情報＃２〜ｎについても夫々に行う。この結果、図６（ａ）に示すように管理テーブル（Ａ）が生成される。
【００２１】
次いで、ステップＳ１０では、シミュレーション制御部４１は、投入中の分路リアクトルＳｈＲを全て遮断する。すなわち、メモリ４１ａに記憶されている管理テーブルの全ての電気所に対して、分路リアクトルＳｈＲの投入フラグを全てＯＦＦ（０）する。
次いで、ステップＳ１５では、シミュレーション制御部４１は、全ての電気所に対して運転中の全発電機を進相運転させる。すなわち、メモリ４１ａに記憶されている管理テーブルの全ての電気所に対して進相運転フラグを全てＯＮ（１）する。
ここで、ステップＳ１０、Ｓ１５における処理の結果、図６（ｂ）に示すように管理テーブルが生成される。
【００２２】
次いで、ステップＳ２０では、シミュレーション制御部４１は、全体シミュレーションを実行し、各電気所＃１〜ｎにおける電圧を算出する。
ここで、シミュレーション制御部４１は、管理テーブル（Ａ）と管理テーブル（Ｂ）とを比較し、電気所＃１〜ｎにおいて、分路リアクトルＳｈＲの投入フラグが１から０に変化した分、すなわち、分路リアクトルが投入状態から遮断状態に変更されたことに起因して調相設備損失が削減した量を算出する。
まず、シミュレーション制御部４１は、分路リアクトルＳｈＲの投入フラグが１から０に変化した場合に、該当する電気所＃ｋ及び分路リアクトルの番号を参照し、電気設備情報ＤＢ４３から電気所＃ｋ及び分路リアクトルの番号に対応する分路リアクトルＳｈＲの抑制可能電力を抽出する。
ここで、図６（ｃ）に２つの電気所ｓ、ｒ間の等価回路を示す。この等価回路において、Ｖｓは流出側の電気所ｓの電圧であり、Ｖｒは流入側の電気所ｒの電圧であり、Ｒは送電線の距離に比例する抵抗成分であり、Ｘは送電線の誘導性リアクタンスである。
また、系統ロスは、
系統ロス＝送電線損失＋調相設備損失
と示すことができる。
【００２３】
ここで、送電線損失は、送電線に電力潮流（有効電力Ｐおよび無効電力Ｑ）が流れることにより発生する。有効電力Ｐによるロス分をＰｒ２（需給運用により調整可能）とし、無効電力Ｑによるロス分を（Ｑｒ−Ｙ×Ｖｒ２／２）２とすると、送電線損失Ｐロスは、
Ｐロス＝Ｒ／Ｖｓ２×｛Ｐｓ２＋（Ｑｓ＋Ｙ×Ｖｓ２／２）２｝
＝Ｒ／Ｖｒ２×｛Ｐｒ２＋（Ｑｒ−Ｙ×Ｖｒ２／２）２｝              （１）
調相設備損失は、調相設備投入時に発生する損失（鉄損）である。例えば、分路リアクトルの容量が１００ＭＶＡで３００ｋＷ程度の損失となる。
各電気所＃１〜ｎにおける系統ロスを算出し、式（１）に順次に代入し、電気所ｓが流出する電圧Ｖｓ、電気所ｒに流入する電圧Ｖｒを順次に求めていくことで、各電気所＃１〜ｎにおける系統電圧Ｖを求める。
この結果、分路リアクトルが投入状態から遮断状態に変更されたことに起因して調相設備損失が削減し、その削減分に対応した電圧が上昇するので、各電気所＃１〜ｎにおける系統電圧Ｖを算出することができる。この算出結果の電圧を管理テーブル（Ｂ）に夫々に記憶する。
【００２４】
次いで、ステップＳ２５では、シミュレーション制御部４１は、系統電圧Ｖが運用下限値ＶＤを下回る電気所があるか否かを判断する。すなわち、シミュレーション制御部４１は、管理テーブル（Ｂ）に記憶されている電圧Ｖを順次に読み出し、系統電圧Ｖが運用下限値ＶＤを下回った場合にステップＳ３０に進む。一方、系統電圧Ｖが運用下限値ＶＤを下回っていない場合にステップＳ４０に進む。
ステップＳ３０では、シミュレーション制御部４１は、系統電圧Ｖが運用下限値ＶＤを下回った電気所ｋに設けられた運転中の発電機ｋの進相無効出力をΔＱ減少方向へ再調整する。シミュレーション制御部４１は、発電機ｋの進相無効出力Ｑを管理テーブル（Ｃ）に記憶する。
ここで、ステップＳ３０における処理の結果、図７（ａ）に示すように管理テーブル（Ｃ）が生成される。
次いで、ステップＳ３５では、シミュレーション制御部４１は、全体シミュレーションを実行する。なお、全体シミュレーションはステップＳ２０において説明した処理と同様の処理を行って電気所＃ｋにおける電圧Ｖを算出した後に、この電圧Ｖに発電機ｋの進相無効出力の減少量ΔＱに応じた電圧増加分を加えた値を電圧Ｖとして更新し、管理テーブル（Ｃ）に記憶する。次いで、ステップＳ２５に示す判断処理に移行する。
ステップＳ２５での判断処理において、系統電圧Ｖが運用下限値ＶＤを下回っていない場合にステップＳ４０に進む。
【００２５】
次いで、ステップＳ４０では、シミュレーション制御部４１は、系統電圧Ｖが運用上限値ＶＵを上回る電気所があるか否かを判断する。
すなわち、シミュレーション制御部４１は、管理テーブル（Ｃ）に記憶されている電圧Ｖを順次に読み出し、系統電圧Ｖが運用上限値ＶＵを上回った場合にステップＳ４５に進む。一方、系統電圧Ｖが運用上限値ＶＵを上回っていない場合にステップＳ５５に進む。
ステップＳ４５では、シミュレーション制御部４１は、系統電圧Ｖが運用上限値ＶＵを上回った電気所＃ｋの分路リアクトルを１台投入する。すなわち、シミュレーション制御部４１は、電気所＃ｋの分路リアクトルの１台に対応するＳｈＲ投入フラグを０から１に変更する。
ここで、ステップＳ４５における処理の結果、図７（ｂ）に示すように管理テーブル（Ｄ）が生成される。
【００２６】
次いで、ステップＳ５０では、シミュレーション制御部４１は、全体シミュレーションを実行する。なお、全体シミュレーションはステップＳ３５において説明した処理と同様の処理を行って電気所＃ｋにおける電圧Ｖを算出した後に、この電圧Ｖに発電機ｋの分路リアクトルの投入に応じた電圧減少分を引いた値を電圧Ｖとして更新し、管理テーブル（Ｄ）に記憶する。次いで、ステップＳ４０に示す判断処理に移行する。
次いで、ステップＳ５５では、シミュレーション制御部４１は、シミュレーション結果から発電機無効電力出力、投入分路リアクトルを決定する。すなわち、図７（ａ）に示す管理テーブル（Ｄ）に記憶された情報がシミュレーション結果である。
シミュレーション制御部４１は、メモリに記憶されている管理テーブル（Ｄ）を読み出して通信制御部４２に出力し、親監視装置３に設けられた通信制御部３４に送信する。親監視装置３は、通信制御部３４が受信した管理テーブル（Ｄ）を系統情報ＤＢ３２に記憶する。
【００２７】
さらに、親監視装置３は、系統情報ＤＢ３２に記憶された管理テーブル（Ｄ）から電気所＃１分の発電機無効電力出力または投入分路リアクトル番号を読み出し、通信制御部３３に出力する。次いで、通信制御部３３は専用ネットワークＮを介して電気所監視装置２＃１に電気所＃１分の発電機無効電力出力または投入分路リアクトル番号を送信する。
電気所監視装置２＃１は、通信制御部２５により親監視装置３から電気所＃１分の発電機無効電力出力または投入分路リアクトル番号を受信し、メモリ２９ａに記憶する。
次いで、電気所監視装置２＃１において、制御部２９は、メモリ２９ａから発電機無効電力出力または投入分路リアクトル番号を読み出し、発電機無効電力出力を電圧調整部２６に出力する。また、制御部２９は、投入分路リアクトル番号を調相設備制御部２７に設けられたメモリ２７ａに記憶する。
ここで、電気所監視装置２＃１において、電圧調整部２６は、発電機無効電力出力を発電機Ｇに設定し、発電機Ｇに発電機無効電力出力に従った発電電圧を出力させる。この結果、電気所監視装置２＃１において、発電機Ｇに発電機無効電力出力に従った発電電圧を出力させ、発電機Ｇから出力される電圧Ｖが上昇する。
また、電気所監視装置２＃１において、調相設備制御部２７は、メモリ２７ａから読み出した投入分路リアクトル番号に従って調相設備８に設けられた分路リアクトルを投入するように制御する。この結果、系統線７の電圧が低下する。
【００２８】
同様に、親監視装置３は、系統情報ＤＢ３２に記憶された管理テーブル（Ｄ）から電気所＃２〜ｎ分の発電機無効電力出力または投入分路リアクトル番号を読み出し、通信制御部３３に出力する。次いで、通信制御部３３は専用ネットワークＮを介して電気所監視装置２＃２〜ｎに電気所＃２〜ｎ分の発電機無効電力出力または投入分路リアクトル番号を送信する。
ここで、電気所監視装置２＃２〜ｎにおいて、電圧調整部２６は、発電機無効電力出力を発電機Ｇに設定し、発電機Ｇに発電機無効電力出力に従った発電電圧を出力させる。この結果、電気所監視装置２＃２〜ｎにおいて、発電機Ｇに発電機無効電力出力に従った発電電圧を出力させ、発電機Ｇから出力される電圧Ｖが上昇する。
また、電気所監視装置２＃２〜ｎにおいて、調相設備制御部２７は、メモリ２７ａから読み出した投入分路リアクトル番号に従って調相設備８に設けられた分路リアクトルを投入するように制御する。この結果、系統線７の電圧が低下する。
【００２９】
図８は、各電気所＃１〜ｎにおける電圧値を示すグラフ図である。
図８に示すグラフ図の縦軸は電圧値を示しており、基準電圧の下側に下限電圧、基準電圧の上側に上限電圧を示している。夫々のグラフにおいて、斜線部分が全ての分路リアクトルを遮断し、発電機を進相運転した時のシミュレーション結果を示しており、斜線部分を除く部分がＡおよびＤ電気所の分炉リアクトルを投入後のシミュレーション結果を示している。
【００３０】
このように、本実施形態は、系統線を介して接続される複数の電気所に夫々配置され、前記各電気所に布設された系統線の系統電圧、有効電力、無効電力、発電機の出力電圧、分路リアクトルの状態を示す系統情報を監視する電気所監視装置と、専用ネットワークを介して接続された複数の前記電気所監視装置から取得した系統情報に基づいて、前記電気所に配置された発電機の動作基準となる基準電圧を算出し、前記基準電圧を複数の前記電気所監視装置に送信することにより前記電気所に配置された系統線から前記系統線に供給される電圧を適正な電圧範囲に維持する親監視装置と、を備えたシステムの電力制御方法である。
前記親監視装置は、前記系統情報、分路リアクトルを全て遮断することを示す遮断状態を管理テーブルに設定する第１設定処理ステップと、前記管理テーブルに設定された前記系統情報、分路リアクトルの遮断状態に基づいて、前記電気所の系統電圧を算出する電圧算出処理ステップと、前記系統電圧が前記基準電圧の運用下限値から運用上限値までの電圧範囲に収まるか否かを判断する第１判断処理ステップと、前記第１判断処理ステップによる判断の結果、前記系統電圧が前記基準電圧の運用下限値を下回る場合に、当該電気所の発電機の進相出力を所定の単位量だけ減少させて発電するように進相出力減少量を前記管理テーブルに設定する第２設定処理ステップと、前記管理テーブルに設定された前記系統情報、分路リアクトルの遮断状態、発電機の発電無効出力に基づいて、前記電気所の系統電圧を算出する第２電圧算出処理ステップと、前記系統電圧が前記基準電圧の運用下限値から運用上限値までの電圧範囲に収まるか否かを判断する第２判断処理ステップと、前記第２判断処理ステップによる判断の結果、全ての前記系統電圧が前記基準電圧の電圧範囲に収まるまで、前記第２設定処理ステップ、前記第２電圧算出処理ステップ、前記第２判断処理ステップによる夫々の処理を繰り返すように制御するシミュレーション制御処理ステップと、を備える。
前記シミュレーション制御処理ステップは、前記第２判断処理ステップによる判断の結果、各電気所の系統電圧が前記基準電圧の電圧範囲に収まる場合に、前記管理テーブルから取得した前記分路リアクトルの遮断状態及び電気所の発電機の無効出力をシミュレーション結果として決定することで、系統電圧を調整する場合に、必ず発電機を進相無効出力の増加方向への調整処理を分路リアクトルの投入処理より優先するようにシミュレーションを行うことができ、分路リアクトルの投入が抑制されるので系統全体の損失（系統損失）を低減することができる。
【００３１】
また、本実施形態は、前記第２判断処理ステップによる判断の結果、少なくとも１つの電気所の系統電圧が前記基準電圧の運用上限値を上回る場合に、当該電気所に分路リアクトルを１台だけ投入するように投入状態を前記管理テーブルに設定する第３設定処理ステップと、前記管理テーブルに設定された分路リアクトルの投入状態に基づいて、前記電気所の系統電圧を算出する第３電圧算出処理ステップと、前記系統電圧が前記基準電圧の運用下限値から運用上限値までの電圧範囲に収まるか否かを判断する第３判断処理ステップと、前記第３判断処理ステップによる判断の結果、全ての前記系統電圧が前記基準電圧の電圧範囲に収まるまで、前記第３設定処理ステップ、前記第３電圧算出処理ステップ、前記第３判断処理ステップによる夫々の処理を繰り返すように制御する第２シミュレーション制御処理ステップと、を備える。
前記第２シミュレーション制御処理ステップは、前記第３判断処理ステップによる判断の結果、各電気所の系統電圧が前記基準電圧の電圧範囲に収まる場合に、前記管理テーブルから取得した前記分路リアクトルの投入状態をシミュレーション結果として決定することで、系統電圧を調整する場合に、必ず発電機を進相無効出力の増加方向への調整処理を分路リアクトルの投入処理より優先するようにシミュレーションを行うことができ、分路リアクトルの投入が抑制されるので系統全体の損失（系統損失）を低減することができる。
【００３２】
＜第２実施形態＞
次に、図９に示すフローチャートを参照して、本発明の第２実施形態に係るシミュレーション装置４の動作について説明する。
シミュレーション装置４では、系統電圧の上げ調整する場合に、分路リアクトルの投入を抑制するために、必ず分路リアクトルの遮断処理を発電機の進相無効出力の抑制よりも優先するようにシミュレーションを行うことを特徴としている。
まず、ステップＳ１０５では、シミュレーション制御部４１は、実際の系統電圧Ｖを自動監視しており、系統電圧Ｖが運用下限値を下回る電気所が発生したと判断した場合にはステップＳ１１０に進む。一方、系統電圧Ｖが運用上限値を上回る電気所が発生したと判断した場合にはステップＳ１６０に進む。他方、系統電圧Ｖが運用下限値から運用上限値までの範囲にあると判断した場合には、メインルーチン（図示しない）に復帰する。
【００３３】
系統電圧Ｖが運用下限値を下回る電気所が発生した場合に、ステップＳ１１０では、シミュレーション制御部４１は、系統情報（電圧、潮流、発電機出力、ＳｈＲ）から系統電圧全体シミュレーションを実行するための準備として、変数の宣言や初期値の設定などの処理を行う。すなわち、系統情報ＤＢ４４から系統情報（電圧Ｖ、有効電力Ｐ、無効電力Ｑ、発電機Ｇの出力電圧ＶＧ、ＳｈＲ番号）＃１〜ｎを読み出し、メモリ４１ａに記憶する。
ここで、シミュレーション制御部４１は、メモリ４１ａから系統情報＃１を読み出し、投入中（ＯＮ）の分路リアクトルの番号を抽出して管理テーブルに記憶する。この処理を系統情報＃２〜ｎについても夫々に行う。この結果、図６（ａ）に示すように管理テーブル（Ａ）が生成される。
【００３４】
次いで、ステップＳ１１５では、シミュレーション制御部４１は、運用下限値を下回る電気所の分路リアクトルを１台遮断する。すなわち、シミュレーション制御部４１は、電気所＃ｋの分路リアクトルの１台に対応するＳｈＲ投入フラグを１から０に変更する。
ここで、ステップＳ１１５における処理の結果、図６（ｂ）に示すように管理テーブル（Ｂ）が生成される。
次いで、ステップＳ１２０では、シミュレーション制御部４１は、全体シミュレーションを実行する。なお、全体シミュレーションはステップＳ２０において説明した処理と同様の処理を行って電気所＃ｋにおける電圧Ｖを算出した後に、この電圧Ｖを電圧Ｖとして更新し、管理テーブル（Ｂ）に記憶する。次いで、ステップＳ１２５に示す判断処理に移行する。
【００３５】
次いで、ステップＳ１２５では、シミュレーション制御部４１は、系統電圧Ｖが運用下限値ＶＤを下回る電気所があるか否かを判断する。すなわち、シミュレーション制御部４１は、管理テーブル（Ｂ）に記憶されている電圧Ｖを順次に読み出し、系統電圧Ｖが運用下限値ＶＤを下回った場合にステップＳ１３０に進む。一方、系統電圧Ｖが運用下限値ＶＤを下回っていない場合にステップＳ１３５に進む。
次いで、ステップＳ１３０では、シミュレーション制御部４１は、運用下限値ＶＤを下回る電気所の分路リアクトルを１台遮断する。すなわち、シミュレーション制御部４１は、電気所＃ｋの分路リアクトルの１台に対応するＳｈＲ投入フラグを１から０に変更する。
ここで、ステップＳ１３０における処理の結果、図６（ｂ）に示すように管理テーブル（Ｂ）が生成される。次いで、ステップＳ１２０に戻り、シミュレーション制御部４１は、全体シミュレーションを実行する。
【００３６】
次いで、ステップＳ１３５では、シミュレーション制御部４１は、系統電圧Ｖが運用上限値ＶＵを上回る電気所はあるか否かを判断する。すなわち、シミュレーション制御部４１は、管理テーブル（Ｃ）に記憶されている電圧Ｖを順次に読み出し、系統電圧Ｖが運用上限値ＶＵを上回った場合にステップＳ１４０に進む。一方、系統電圧Ｖが運用上限値ＶＵを上回っていない場合にステップＳ１５０に進む。
次いで、ステップＳ１４０では、シミュレーション制御部４１は、運用上限値ＶＵを上回る電気所に至近の運転中の発電機の進相無効出力をΔＱ増加方向へ再調整する。シミュレーション制御部４１は、発電機ｋの進相無効出力のＱを管理テーブル（Ｃ）に記憶する。
【００３７】
次いで、ステップＳ１４５では、シミュレーション制御部４１は、全体シミュレーションを実行する。なお、全体シミュレーションはステップＳ１２０において説明した処理と同様の処理を行って電気所＃ｋにおける電圧Ｖを算出した後に、この電圧Ｖに発電機ｋの進相無効出力の増加量ΔＱに応じた電圧抑制分を引いた値を電圧Ｖとして更新し、管理テーブル（Ｃ）に記憶する。次いで、ステップＳ１３５に示す判断処理に移行する。
ステップＳ１３５での判断処理において、系統電圧Ｖが運用上限値ＶＵを上回っていない場合にステップＳ１５０に進む。
次いで、ステップＳ１５０では、シミュレーション制御部４１は、シミュレーション結果から発電機無効電力出力、投入分路リアクトルを決定する。すなわち、図７（ａ）に示す管理テーブル（Ｄ）に記憶された情報がシミュレーション結果である。
シミュレーション制御部４１は、メモリに記憶されている管理テーブル（Ｄ）を読み出して通信制御部４２に出力し、親監視装置３に設けられた通信制御部３４に送信する。親監視装置３は、通信制御部３４が受信した管理テーブル（Ｄ）を系統情報ＤＢ３２に記憶する。
【００３８】
さらに、親監視装置３は、系統情報ＤＢ３２に記憶された管理テーブル（Ｄ）から電気所＃１分の発電機無効電力出力または投入分路リアクトル番号を読み出し、通信制御部３３に出力する。次いで、通信制御部３３は専用ネットワークＮを介して電気所監視装置２＃１に電気所＃１分の発電機無効電力出力または投入分路リアクトル番号を送信する。
電気所監視装置２＃１は、通信制御部２５により親監視装置３から電気所＃１分の発電機無効電力出力または投入分路リアクトル番号を受信し、メモリ２９ａに記憶する。
次いで、電気所監視装置２＃１において、制御部２９は、メモリ２９ａから発電機無効電力出力または投入分路リアクトル番号を読み出し、発電機無効電力出力を電圧調整部２６に出力する。また、制御部２９は、投入分路リアクトル番号を調相設備制御部２７に設けられたメモリ２７ａに記憶する。
ここで、電気所監視装置２＃１において、電圧調整部２６は、発電機無効電力出力を発電機Ｇに設定し、発電機Ｇに発電機無効電力出力に従った発電電圧を出力させる。この結果、電気所監視装置２＃１において、発電機Ｇに発電機無効電力出力に従った発電電圧を出力させ、発電機Ｇから出力される電圧Ｖが上昇する。
また、電気所監視装置２＃１において、調相設備制御部２７は、メモリ２７ａから読み出した投入分路リアクトル番号に従って調相設備８に設けられた分路リアクトルを投入するように制御する。この結果、系統線７の電圧が低下する。
【００３９】
同様に、親監視装置３は、系統情報ＤＢ３２に記憶された管理テーブル（Ｄ）から電気所＃２〜ｎ分の発電機無効電力出力または投入分路リアクトル番号を読み出し、通信制御部３３に出力する。次いで、通信制御部３３は専用ネットワークＮを介して電気所監視装置２＃２〜ｎに電気所＃２〜ｎ分の発電機無効電力出力または投入分路リアクトル番号を送信する。
ここで、電気所監視装置２＃２〜ｎにおいて、電圧調整部２６は、発電機無効電力出力を発電機Ｇに設定し、発電機Ｇに発電機無効電力出力に従った発電電圧を出力させる。この結果、電気所監視装置２＃２〜ｎにおいて、発電機Ｇに発電機無効電力出力に従った発電電圧を出力させ、発電機Ｇから出力される電圧Ｖが上昇する。
また、電気所監視装置２＃２〜ｎにおいて、調相設備制御部２７は、メモリ２７ａから読み出した投入分路リアクトル番号に従って調相設備８に設けられた分路リアクトルを投入するように制御する。この結果、系統線７の電圧が低下する。
この結果、図８に示すように、各電気所＃１〜ｎにおける電圧値が変更される。
【００４０】
このように、本実施形態は、系統線を介して接続される複数の電気所に夫々配置され、前記電気所に布設された系統線の系統電圧、有効電力、無効電力、発電機の出力電圧、分路リアクトルの状態を示す系統情報を監視する電気所監視装置と、専用ネットワークを介して接続された複数の前記電気所監視装置から取得した系統情報に基づいて、前記電気所に配置された発電機の動作基準となる基準電圧を算出し、前記基準電圧を複数の前記電気所監視装置に送信することにより前記電気所に配置された系統線から前記系統線に供給される電圧を適正な電圧範囲に維持する親監視装置と、を備えたシステムの電力制御方法である。
前記親監視装置は、前記系統情報に含まれる系統電圧が前記基準電圧の運用下限値から下回るか否かを判断する第１判断処理ステップと、前記第１判断処理ステップによる判断の結果、前記系統電圧が前記基準電圧の運用下限値を下回る場合に、当該電気所に投入中の分路リアクトルを１台のみ遮断するように遮断状態を管理テーブルに設定する設定処理ステップと、前記管理テーブルに設定された分路リアクトルの遮断状態、前記系統電圧に基づいて、前記分路リアクトルを遮断した後の系統電圧を算出する電圧算出処理ステップと、前記系統電圧が前記基準電圧の運用下限値から運用上限値までの電圧範囲に収まるか否かを判断する第２判断処理ステップと、前記第２判断処理ステップによる判断の結果、全ての前記系統電圧が前記基準電圧の電圧範囲に収まるまで、前記設定処理ステップ、前記電圧算出処理ステップ、前記第２判断処理ステップによる夫々の処理を繰り返すように制御するシミュレーション制御処理ステップと、を備える。
前記シミュレーション制御処理ステップは、前記第２判断処理ステップによる判断の結果、各電気所の系統電圧が前記基準電圧の電圧範囲に収まる場合に、前記管理テーブルから取得した前記分路リアクトルの遮断状態をシミュレーション結果として決定することで、系統電圧の上げ調整する場合に、必ず分路リアクトルの遮断処理を発電機の進相無効出力抑制よりも優先するようにシミュレーションを行うことができ、分路リアクトルの投入が抑制されるので系統全体の損失（系統損失）を低減することができる。
【００４１】
また、本実施形態は、前記第２判断処理ステップによる判断の結果、少なくとも１つの電気所の系統電圧が前記基準電圧の運用上限値を上回る場合に、当該電気所の運転中の発電機の進相無効出力を所定の単位量だけ増加させて発電するように発電無効出力を前記管理テーブルに設定する第２設定処理ステップと、前記管理テーブルに設定された発電機の発電無効出力に基づいて、前記電気所の系統電圧を算出する第２電圧算出処理ステップと、前記系統電圧が前記基準電圧の運用下限値から運用上限値までの電圧範囲に収まるか否かを判断する第３判断処理ステップと、前記第３判断処理ステップによる判断の結果、全ての前記系統電圧が前記基準電圧の電圧範囲に収まるまで、前記第２設定処理ステップ、前記第２電圧算出処理ステップ、前記第３判断処理ステップによる夫々の処理を繰り返すように制御する第２シミュレーション制御処理ステップと、を備える。
前記第２シミュレーション制御処理ステップは、前記第３判断処理ステップによる判断の結果、各電気所の系統電圧が前記基準電圧の電圧範囲に収まる場合に、前記管理テーブルから取得した前記発電機の発電無効出力をシミュレーション結果として決定することで、系統電圧の上げ調整する場合に、必ず分路リアクトルの遮断処理を発電機の進相無効出力の抑制よりも優先するようにシミュレーションを行うことができ、分路リアクトルの投入が抑制されるので、系統全体の損失（系統損失）を低減することができる。
【００４２】
シミュレーション装置４では、系統電圧を下げ方向に調整する場合に、分路リアクトルの投入を抑制するために、必ず発電機を進相無効出力の増加方向への調整処理を分路リアクトルの投入処理よりも優先するようにシミュレーションを行うことを特徴としている。
ステップＳ１０５において、系統電圧Ｖが運用上限値ＶＵを上回る電気所が発生した場合に、ステップＳ１６０に進む。ステップＳ１６０では、シミュレーション制御部４１は、系統情報（電圧、潮流、発電機出力、ＳｈＲ）から系統電圧全体シミュレーションを実行するための準備として、変数の宣言や初期値の設定などの処理を行う。すなわち、系統情報ＤＢ４４から系統情報（電圧Ｖ、有効電力Ｐ、無効電力Ｑ、発電機Ｇの出力電圧ＶＧ、ＳｈＲ番号）＃１〜ｎを読み出し、メモリ４１ａに記憶する。
ここで、シミュレーション制御部４１は、メモリ４１ａから系統情報＃１を読み出し、投入中（ＯＮ）の分路リアクトルの番号を抽出して管理テーブルに記憶する。この処理を系統情報＃２〜ｎについても夫々に行う。この結果、図６（ａ）に示すように管理テーブル（Ａ）が生成される。
【００４３】
次いで、ステップＳ１６５では、シミュレーション制御部４１は、運用上限値ＶＵを上回る電気所に設けられた運転中の発電機ｋの進相無効出力をΔＱ増加方向へ再調整する。シミュレーション制御部４１は、発電機ｋの進相無効出力のＱを管理テーブル（Ｂ）に記憶する。
ここで、ステップ１６５における処理の結果、図６（ｂ）に示すように管理テーブル（Ｂ）が生成される。
次いで、ステップＳ１７０では、シミュレーション制御部４１は、全体シミュレーションを実行する。なお、全体シミュレーションはステップＳ１６５において説明した処理と同様の処理を行って電気所＃ｋにおける電圧Ｖを算出した後に、この電圧Ｖに発電機ｋの進相無効出力の増加量ΔＱに応じた電圧減少分を引いた値を電圧Ｖとして更新し、管理テーブル（Ｃ）に記憶する。次いで、ステップＳ１７５に示す判断処理に移行する。
次いで、ステップＳ１７５では、シミュレーション制御部４１は、系統電圧Ｖが運用上限値ＶＵを上回る電気所があるか否かを判断する。
すなわち、シミュレーション制御部４１は、管理テーブル（Ｃ）に記憶されている電圧Ｖを順次に読み出し、系統電圧Ｖが運用上限値ＶＵを上回った場合にステップＳ１８０に進む。一方、系統電圧Ｖが運用上限値ＶＵを上回っていない場合にステップＳ１８５に進む。
【００４４】
次いで、ステップＳ１８０では、シミュレーション制御部４１は、運用上限値ＶＵを上回る電気所に設けられた運転中の発電機ｋの進相無効出力をΔＱ増加方向へ再調整する。シミュレーション制御部４１は、発電機ｋの進相無効出力のＱを管理テーブル（Ｃ）に記憶する。
ここで、ステップ１８０における処理の結果、図７（ａ）に示すように管理テーブル（Ｃ）が生成される。次いで、ステップＳ１７０に戻り、シミュレーション制御部４１は、全体シミュレーションを実行する。
【００４５】
次いで、ステップＳ１８５では、シミュレーション制御部４１は、系統電圧Ｖが運用下限値ＶＤを下回る電気所があるか否かを判断する。すなわち、シミュレーション制御部４１は、管理テーブル（Ｃ）に記憶されている電圧Ｖを順次に読み出し、系統電圧Ｖが運用下限値ＶＤを下回った場合にステップＳ１９０に進む。一方、系統電圧Ｖが運用下限値ＶＤを下回っていない場合にステップＳ１５０に進む。
次いで、ステップＳ１９０では、シミュレーション制御部４１は、運用下限値ＶＤを下回る電気所の分路リアクトルを１台遮断する。すなわち、シミュレーション制御部４１は、電気所＃ｋの分路リアクトルの１台に対応するＳｈＲ投入フラグを１から０に変更する。
ここで、ステップＳ１９０における処理の結果、図７（ｂ）に示すように管理テーブル（Ｄ）が生成される。次いで、ステップＳ１９５に進み、シミュレーション制御部４１は、全体シミュレーションを実行する。次いで、ステップＳ１８５での判断処理に進む。
上述したように、ステップＳ１８５では、シミュレーション制御部４１は、系統電圧Ｖが運用下限値ＶＤを下回る電気所があるか否かを判断し、系統電圧Ｖが運用下限値ＶＤを下回っていない場合にステップＳ１５０に進む。なお、ステップＳ１５０での処理は、上述したのでその説明を省略する。
【００４６】
このように、本実施形態は、系統線を介して接続される複数の電気所に夫々配置され、前記電気所に布設された系統線の系統電圧、有効電力、無効電力、発電機の出力電圧、分路リアクトルの状態を示す系統情報を監視する電気所監視装置と、専用ネットワークを介して接続された複数の前記電気所監視装置から取得した系統情報に基づいて、前記電気所に配置された発電機の動作基準となる基準電圧を算出し、前記基準電圧を複数の前記電気所監視装置に送信することにより前記電気所に配置された系統線から前記系統線に供給される電圧を適正な電圧範囲に維持する親監視装置と、を備えたシステムの電力制御方法である。
前記親監視装置は、前記系統情報に含まれる系統電圧が前記基準電圧の運用上限値から上回るか否かを判断する第１判断処理ステップと、前記第１判断処理ステップによる判断の結果、前記系統電圧が前記基準電圧の運用上限値を上回る場合に、当該電気所の運転中の発電機の進相無効出力を所定の単位量だけ抑制するように発電抑制量を管理テーブルに設定する設定処理ステップと、前記管理テーブルに設定された発電機の発電抑制量、前記系統電圧に基づいて、前記発電機の発電量を抑制した後の系統電圧を算出する電圧算出処理ステップと、前記系統電圧が前記基準電圧の運用下限値から運用上限値までの電圧範囲に収まるか否かを判断する第２判断処理ステップと、前記第２判断処理ステップによる判断の結果、全ての前記系統電圧が前記基準電圧の電圧範囲に収まるまで、前記設定処理ステップ、前記電圧算出処理ステップ、前記第２判断処理ステップによる夫々の処理を繰り返すように制御するシミュレーション制御処理ステップと、を備える。
前記シミュレーション制御処理ステップは、前記第２判断処理ステップによる判断の結果、各電気所の系統電圧が前記基準電圧の電圧範囲に収まる場合に、前記管理テーブルから取得した発電所の発電抑制量をシミュレーション結果として決定することで、系統電圧を下げ方向に調整する場合に、必ず発電機を進相無効出力の増加方向への調整処理を分路リアクトルの投入処理よりも優先するようにシミュレーションを行うことができ、分路リアクトルの投入が抑制されるので系統全体の損失（系統損失）を低減することができる。
【００４７】
また、本実施形態では、前記第２判断処理ステップによる判断の結果、少なくとも１つの電気所の系統電圧が前記基準電圧の運用下限値を下回る場合に、当該電気所に分路リアクトルを１台だけ遮断するように投入状態を前記管理テーブルに設定する第２設定処理ステップと、前記管理テーブルに設定された電気所の分路リアクトルの投入状態に基づいて、前記電気所の系統電圧を算出する第２電圧算出処理ステップと、前記系統電圧が前記基準電圧の運用下限値から運用上限値までの電圧範囲に収まるか否かを判断する第３判断処理ステップと、前記第３判断処理ステップによる判断の結果、全ての前記系統電圧が前記基準電圧の電圧範囲に収まるまで、前記第２設定処理ステップ、前記第２電圧算出処理ステップ、前記第３判断処理ステップによる夫々の処理を繰り返すように制御する第２シミュレーション制御処理ステップと、を備える。
前記第２シミュレーション制御処理ステップは、前記第３判断処理ステップによる判断の結果、各電気所の系統電圧が前記基準電圧の電圧範囲に収まる場合に、前記管理テーブルから取得した前記電気所の分路リアクトルの投入状態をシミュレーション結果として決定することで、系統電圧を下げ方向に調整する場合に、必ず発電機を進相無効出力の増加方向への調整処理を分路リアクトルの投入処理よりも優先するようにシミュレーションを行うことができ、分路リアクトルの投入が抑制されるので系統全体の損失（系統損失）を低減することができる。
【００４８】
本実施形態によれば、これまで加味されなかった分路リアクトルによる損失（鉄損）を考慮することで、超高圧系統の系統損失を総合的に考慮した電圧・無効電力調整を実施することができる。従来のＶＱＣ制御に関するパラメータに調相器での分路リアクトルによる鉄損を考慮することで、系統損失を総合的に考慮したＶＱＣを構築することができる。
＜変形例＞
第１実施形態及び第２実施形態においては、親監視装置３とシミュレーション装置４とが異なる装置であるように構成されていたが、本発明はこのような場合に限定されるものではなく、親監視装置３がシミュレーション装置４を構成する各部を備えるように構成されてもよい。
【符号の説明】
【００４９】
１…電力制御システム、２…電気所監視装置、３…親監視装置、４…シミュレーション装置、７…系統線、８…調相設備、９…母線、１１…トランス、２１…有効電力Ｐ検出部、２２…無効電力Ｑ検出部、２２…有効電力Ｑ検出部、２３…発電機出力電圧ＶＧ検出部、２４…系統電圧Ｖ検出部、２５…通信制御部、２６…電圧調整部、２７…調相設備制御部、２９…制御部、３１…基準電圧算出部、３２…系統情報ＤＢ部、４１…シミュレーション制御部、４２…通信制御部、４３…電気所設備情報ＤＢ、４４…系統情報ＤＢ
【図１】
0005856125.tif 000002
【図２】
0005856125.tif 000003
【図３】
0005856125.tif 000004
【図４】
0005856125.tif 000005
【図５】
0005856125.tif 000006
【図６】
0005856125.tif 000007
【図７】
0005856125.tif 000008
【図８】
0005856125.tif 000009
【図９】
0005856125.tif 000010
【図１０】
0005856125.tif 000011
【図１１】
0005856125.tif 000012